(57)【要約】      （修正有）【課題】簡便に形成でき、設置における表裏方向の自由度が高められた防音パネル及び防音壁を提供する。【解決手段】本発明に係わる防音パネル１０によれば、パネル本体に任意の表裏方向に傾斜面がなるようにスペーサー２及び３を取り付けることで表裏方向の自由度が高められ、またスペーサー２及び３の取付手段が表裏共通となされていることで形成は簡便なものとなり得る。また本発明に係わる防音壁１００によれば、設置における表裏方向の自由度が高められていることで、表裏面で機能の異なるパネル本体を用いる場合でも、所望の機能を備えた側の面を自在に表裏いずれの方向にも設置して容易に表裏面の機能を設定が可能なものとなり得る。【選択図】        図３
2006070594.tif 000002
【特許請求の範囲】
【請求項１】
パネル本体と、パネル本体の上端と下端のいずれか少なくとも一方に取り付けられ、表裏方向に傾斜した傾斜面が形成されたスペーサーとを備え、該スペーサーは前記パネル本体に表裏共通の取付手段により取り付けられることを特徴とする防音パネル。
【請求項２】
前記パネル本体は、表裏のいずれか一方に照明装置が備えられているものであることを特徴とする請求項１に記載の防音パネル。
【請求項３】
請求項１又は２に記載の防音パネルを用いて形成されていることを特徴とする防音壁。
【発明の詳細な説明】
【技術分野】
【０００１】
本発明は、及び道路や鉄道の側縁に段積みされて設置され、周辺への騒音の伝播を抑制する防音パネル及び防音壁に関するものである。
【背景技術】
【０００２】
従来の極一般的に用いられる防音パネルとしては、例えば特許文献１に記載のように、パネルの上面及び下面が騒音到来方向から下方に向けて傾斜され、下面の前端に垂下縁が、上面の前端に該垂下縁が上方から嵌着される凹部が設けられ、段積みされた際に上面と下面とが当接されると共に、垂下縁と凹部とが嵌着されることで、簡便な構造で騒音が直進しにくく防音効果が高められるようになされた防音パネルが示されている。
【０００３】
【特許文献１】特開２００３−１９３４３１号公報
【発明の開示】
【発明が解決しようとする課題】
【０００４】
しかしながら、従来の極一般的に用いられる防音パネルは、最下段の防音パネルを表裏の内一方向、例えば車道側に吸音面を向けて設置すると、段積みされるその上の防音パネルも最下段のものを同じ方向に設置する必要があり、防音パネルの設置における表裏方向の自由度が低いものであった。例えば両面からの騒音を吸音すべく一段置きに交互に吸音面を表裏に設けようとすると、少なくとも二種類の傾斜した上面及び下面を備えた防音パネルが必要となり形成が繁雑なものとなっていた。
【０００５】
本発明は上記の如き課題に鑑みてなされたものであり、簡便に形成でき、設置における表裏方向の自由度が高められた防音パネル及び防音壁を提供せんとするものである。
【課題を解決するための手段】
【０００６】
上記目的を達成するため、本発明は以下のような構成としている。すなわち、本発明に係わる防音パネルは、パネル本体と、パネル本体の上端と下端のいずれか少なくとも一方に取り付けられ、表裏方向に傾斜した傾斜面が形成されたスペーサーとを備え、該スペーサーは前記パネル本体に表裏共通の取付手段により取り付けられることを特徴とするものである。
【０００７】
また本発明において、前記パネル本体は、表裏のいずれか一方に照明装置が備えられているものであれば、照明装置は歩道及び車道のいずれに向けても設置するものであり、設置における表裏の自由度が高められることによる利点が大きいものとなり好ましい。
【０００８】
また本発明に係わる防音壁は、請求項１又は２に記載の防音パネルを用いて形成されていることを特徴とするものである。
【発明の効果】
【０００９】
本発明に係わる防音パネルによれば、パネル本体に任意の表裏方向に傾斜面がなるようにスペーサーを取り付けることで表裏方向の自由度が高められ、またスペーサーの取付手段が表裏共通となされていることで形成は簡便なものとなり得る。
【００１０】
また本発明に係わる防音壁によれば、設置における表裏方向の自由度が高められていることで、表裏面で機能の異なるパネル本体を用いる場合でも、所望の機能を備えた側の面を自在に表裏いずれの方向にも設置して容易に表裏面の機能を設定が可能なものとなり得る。
【発明を実施するための最良の形態】
【００１１】
本発明に係わる最良の実施の形態について、図面に基づき以下に具体的に説明する。
【００１２】
図１は、本発明に係わる防音パネルの、実施の一形態を示す説明図である。防音パネル１０は、パネル本体１の上端に、前面側αに向かって上方に傾斜された傾斜面２１を備えた上側スペーサー２が、下端に同じく前面側αに向かって上方に傾斜された傾斜面３１を備えた下側スペーサー３が取り付けられており、傾斜面２１と傾斜面３１とは略平行の傾斜となされている。パネル本体１の前面側αには光を放射して道路照明を行う照明部１１が備えられている。
【００１３】
図２は、図１に示す防音パネル１０を用いて形成された、本発明に係わる防音壁を示す説明図である。防音壁１００は車道Ｒに沿って延設され、支柱３０間に一般に統一型吸音板と呼ばれる高さ５００ｍｍ、厚み９５ｍｍ、長さ２ｍ又は４ｍの吸音パネル２０が段積みされて形成され、吸音パネル２０はスリットにより音導入孔２０１が開設され、音導入孔２０１が前面側αに向くように吸音パネル２０を設置することで車道Ｒからの騒音を吸音できるようになされている。段積みされた防音パネル２０の上下間に、図１に示した照明部１１を備えた防音パネル１０が挟まれて設けられており、照明部１１が前面側αに向けられることで、車道Ｒ側の道路照明や、発光による視線誘導が行われるようになされている。
【００１４】
図３は、図２のＡ−Ａ断面を示すもので、防音パネル１０の断面の詳細及び吸音パネル２０との嵌合の状態を説明する断面図である。吸音パネル２０は音導入孔２０１の背面側に吸音材２０２が配置され、上面２０３及び下面２０４が前面側αに向かって上方に傾斜された傾斜面となされているもので、上面２０３及び下面２０４の傾斜は略平行なものとなされている。パネル本体１の上下端に取り付けられた上側スペーサー２及び下側スペーサー３は、吸音パネル２０の上端付近及び下端付近と略同一の断面形状となされていることで、吸音パネル２０の上下間に防音パネル１０が挟まれる場合に、傾斜面２１と下面２０４、傾斜面３１と上面２０３が当接することができ、且つ吸音パネル２０の前面側αの下端に設けられた垂下縁部２０５と上側スペーサー２の前面側αの上端に設けられた凹部２３とが嵌合され、更に吸音パネル２０の前面側αの上端に設けられた凹部２０６に下側スペーサー３の前面側αに設けられた垂下縁部３３が嵌合されることで、防音壁１００が安定して形成されると共に吸音パネル２０のみを段積みした場合と同様に音漏れの発生を防止することができる。
【００１５】
パネル本体１は、アルミニウム押出形材からなるボックス形状のもので、前面側αが開口されてユニット化された照明装置５が嵌着されて取り付けられている。背面側βは中空部１２が設けられて強度の確保及び配線の便宜が図られている。上部壁１３、下部壁１４及び中空部１２とで形成されたコ字状部分に照明装置５が嵌着され、照明装置５は上部壁１３に取付金具Ｋを介してビスＢ１によりビス止めされて取り付けられ、下部壁１４に螺着されたビスＢ２が下方から押し付けられることで上方に押し付けられてがたつき等の防止が図られている。下部壁１４には、内部に侵入した水分等を流出させるための排水溝１４１が延設されている。照明装置５の前面側αには、照明部１１を窓状にくり抜いたアルミニウム押出形材からなる前面板１５が取り付けられて、前面側αの強度及び美観が確保されている。
【００１６】
照明装置５は、アルミニウム押出形材からなる駆体５１にＬＥＤからなる光源５２及び鏡面となされた反射体５３が備えられ、光源５２から発せられた光は、照明部１１を直接透過すると共に、反射体５３により反射されて照明部１１を透過することで、極めて効率よく前面側αに放出されるようになされている。また照明装置５の駆体５１が金属製で、且つ本体パネル１が金属製であることからいずれも熱伝導性が高く、光源５２から発生した熱を伝導して効率よく外部に放出することができ、熱による光源５２の性能低下や故障等を未然に防止することができる。
【００１７】
図４は、パネル本体１への上側スペーサー２及び下側スペーサー３の取付手段の詳細を示す説明図である。まずイ）は図３に示した防音パネル１０と同じ向きに取り付けたものであるが、本体パネル１の上部壁１３の上面に、相対向して略同一の断面形状となされた取付溝４１Ａ及び４１Ｂが形成されている。上側スペーサー２には、取付溝４１Ａ及び４１Ｂと補完形状となされ、取付溝４１Ａ及び４１Ｂに嵌着されてパネル本体１の長さ方向に摺動可能となされる嵌着部２２Ａ及び２２Ｂが設けられている。同じく本体パネル１の下部壁１４の下面に、相対向して略同一の断面形状となされた取付溝４２Ａ及び４２Ｂが形成され、下側スペーサー３には、取付溝４２Ａ及び４２Ｂと補完形状となされ、取付溝４２Ａ及び４２Ｂに嵌着されてパネル本体１の長さ方向に摺動可能となされる嵌着部３２Ａ及び３２Ｂが設けられている。
【００１８】
イ）においては、取付溝４１Ａと嵌着部２２Ａ、取付溝４１Ｂと嵌着部２２Ｂ、取付溝４２Ａと嵌着部３２Ａ、取付溝４２Ｂと嵌着部３２Ｂがそれぞれ嵌着されているが、取付溝４１Ａと取付溝４１Ｂとが、また取付溝４２Ａと取付溝４２Ｂとが略同一の断面形状となされていることで、ロ）に示す如く、取付溝４１Ａ及び４１Ｂ、取付溝４２Ａ及び４２Ｂに対して、嵌着部２２Ａ及び２２Ｂ、嵌着部３２Ａ及び３２Ｂを表裏逆にして取り付けることができ、傾斜面２１及び傾斜面３１を前面側αに向かって下方に傾斜するものとして、図３に示した吸音パネル２０の上下間に、照明部１１を背面側βに向けて段積みすることが可能となり得る。従って、取付溝４１及び４２と、嵌着部２２及び３２とで形成されるパネル本体１へのスペーサー２及び３の取付手段は表裏共通のものとなされ、設置における表裏方向が自在に設定できる防音パネル１０を簡便に形成することができる。
【００１９】
パネル本体１の照明部１１を背面側βにむけることで、防音壁１００において車道Ｒと反対側、例えば歩道側の照明を行うことができるが、表裏のいずれか一方に照明部１１が設けられたものに限定されず、例えばパネル本体１の両側に照明部１１が設けられ、照明部１１から発せられる光の照度が異なる場合などでは、設置される場所の状況に応じていずれの側に高い輝度の面を向けるかといった設定が高い自由度で行うことができる。
【００２０】
パネル本体１へのスペーサー２及び３への取り付けは、取付溝４１及び４２に摺動させるのみで行うことができるので、予め工場や倉庫等で取り付けを行っておいてもよく、またパネル本体１とスペーサー２及び３とを別々に輸送し、設置現場において必要な表裏方向に応じてスペーサー２及び３を取り付けることもできる。またスペーサー２及び３は、例えば防音パネル１０が防音壁１００において最下段又は最上段に位置されるような場合には、上側スペーサー２又は下側スペーサー３のみを取り付けて上面２１又は下面３１のみに吸音パネル２０の下端又は上端を嵌着可能としてもよい。
【００２１】
尚、パネル本体１は照明装置５を備えたものに限定されず、吸音材を内蔵し吸音性が具備されたもの、透明な防音板が枠体にはめ込まれたもの、表面に自浄性や有害物質分解機能が具備されたもの、広告が備えられたもの等を用いることができ、それらの内任意のものを選択して上述のパネル本体１の面に備えられた様々な機能を、防音壁１００表裏面のいずれにも自在に発現させることができ得る。
【図面の簡単な説明】
【００２２】
【図１】本発明に係わる防音パネルの、実施の一形態を示す説明図である。
【図２】本発明に係わる防音壁の、実施の一形態を示す説明図である。
【図３】図２のＡ−Ａ断面図である。
【図４】パネル本体にスペーサーが取り付けられる取付手段の詳細を示す断面図である。
【符号の説明】
【００２３】
１    パネル本体
２    （上側）スペーサー
３    （下側）スペーサー
２１、２２  傾斜面
５    照明装置
１０  防音パネル
１００  防音壁
【図１】
2006070594.tif 000003
【図２】
2006070594.tif 000004
【図３】
2006070594.tif 000005
【図４】
2006070594.tif 000006